(57)【要約】【課題】本発明は、コストが低く、携帯可能であり妨害電波の発生源を特定することができる電波検出装置を提供することを目的とする。【解決手段】電波式リモートコントローラの妨害電波を検出する電波検出装置であって、リモートコントローラの出力電波が存在する周波数帯域の信号を検波する検波手段１０，１２と、検波手段で検波された電波式リモートコントローラが送信する基準電波の周波数を記憶する基準電波記憶手段１３と、検波手段で検波された妨害電波の周波数を基準電波記憶手段に記憶されている基準電波の周波数と比較して一致検出を行う比較手段１４と、比較手段による一致検出時に妨害電波の存在を表示する表示手段１５を有する。【選択図】図１
2007127549.tif 000002
【特許請求の範囲】
【請求項１】
電波式リモートコントローラの妨害電波を検出する電波検出装置であって、
前記リモートコントローラの出力電波が存在する周波数帯域の信号を検波する検波手段と、
前記検波手段で検波された前記電波式リモートコントローラが送信する基準電波の周波数を記憶する基準電波記憶手段と、
前記検波手段で検波された妨害電波の周波数を前記基準電波記憶手段に記憶されている基準電波の周波数と比較して一致検出を行う比較手段と、
前記比較手段による一致検出時に妨害電波の存在を表示する表示手段を
有することを特徴とする電波検出装置。
【請求項２】
請求項１記載の電波検出装置において、
使用者の操作でオンするスイッチ手段を有し、
前記基準電波記憶手段は、前記スイッチ手段のオンから所定時間内に前記基準電波の周波数を記憶することを特徴とする電波検出装置。
【請求項３】
請求項１または２記載の電波検出装置において、
前記スイッチ手段は、前記リモートコントローラの装着によりオンすることを特徴とする電波検出装置。
【請求項４】
請求項１乃至３のいずれか１項記載の電波検出装置において、
前記スイッチ手段のオンにより装置に電源の供給を行い、前記スイッチ手段のオンから前記所定時間より長い一定時間を経過すると前記電源の供給を停止する電源供給手段を
有することを特徴とする電波検出装置。
【発明の詳細な説明】
【技術分野】
【０００１】
本発明は、電波検出装置に関し、特に、電波式リモートコントローラの妨害電波を検出する電波検出装置に関する。
【背景技術】
【０００２】
近年、リモートキーレスエントリ・システム、スマートエントリ・システム、ガレージオープナー・システム等において、電波式リモートコントローラ（以下「リモコン」と略す）が使用されている。
【０００３】
このような電波式リモコンを操作したにもかかわらずシステムが動作しない場合や誤動作した場合、電波式リモコンと同一周波数で大レベルの妨害電波が存在することが考えられる。
【０００４】
従来、電波式リモコンの妨害電波の有無を検出し、また、妨害電波の発信源を特定し検出するような場合、汎用の広帯域周波数に対応したスペクトルアナライザー等を用いていた。
【０００５】
なお、特許文献１には、ワイヤレス発信器による呼び出し操作がないときにキャリア受信ランプが点灯すれば、その周波数の妨害電波が存在すると判断する装置が記載されている。また、特許文献２には、医療機器の使用者の近傍で携帯電話等の電波の発射を抑制させる障害電波警告システムが記載されている。さらに、特許文献３には、リモコン受信機から妨害信号を送信し、受信機はリモコンの受信信号から妨害信号を減じてリモコン信号を得ることが記載されている。
【特許文献１】特開平１１−１６１８６２号公報
【特許文献２】特開平１１−３３１２５号公報
【特許文献３】特開平７−１３１８５２号公報
【発明の開示】
【発明が解決しようとする課題】
【０００６】
汎用の広帯域周波数に対応したスペクトルアナライザーを用いて妨害電波を検出しようとした場合、システムが非動作または誤動作した場所にスペクトルアナライザーを持っていかなければならず、汎用の広帯域周波数に対応したスペクトルアナライザーは大型となり携帯性が悪く、コストが高くなり、また、操作性が悪いという問題があった。
【０００７】
また、特許文献１に記載の技術では、ワイヤレス呼出受信器が呼び出されていないときの受信状態で妨害電波の有無を判断しているが、妨害電波の発生源を特定することは困難であり、妨害電波に対する有効な対策を施すことが困難であるという問題があった。
【０００８】
本発明は、上述の点に鑑みてなされたものであり、コストが低く、携帯可能であり妨害電波の発生源を特定することができる電波検出装置を提供することを目的とする。
【課題を解決するための手段】
【０００９】
本発明の電波検出装置は、電波式リモートコントローラの妨害電波を検出する電波検出装置であって、
前記リモートコントローラの出力電波が存在する周波数帯域の信号を検波する検波手段と、
前記検波手段で検波された前記電波式リモートコントローラが送信する基準電波の周波数を記憶する基準電波記憶手段と、
前記検波手段で検波された妨害電波の周波数を前記基準電波記憶手段に記憶されている基準電波の周波数と比較して一致検出を行う比較手段と、
前記比較手段による一致検出時に妨害電波の存在を表示する表示手段を有することにより、コストが低く、携帯可能であり妨害電波の発生源を特定することができる。
【００１０】
前記電波検出装置において、使用者の操作でオンするスイッチ手段を有し、
前記基準電波記憶手段は、前記スイッチ手段のオンから所定時間内に前記基準電波の周波数を記憶することができる。
【００１１】
前記電波検出装置において、前記スイッチ手段は、前記リモートコントローラの装着によりオンすることができる。
【００１２】
前記電波検出装置において、前記スイッチ手段のオンにより装置に電源の供給を行い、前記スイッチ手段のオンから前記所定時間より長い一定時間を経過すると前記電源の供給を停止する電源供給手段を有することができる。
【発明の効果】
【００１３】
本発明によれば、コストが低く、携帯可能であり妨害電波の発生源を特定することができる。
【発明を実施するための最良の形態】
【００１４】
以下、図面に基づいて本発明の実施形態について説明する。
【００１５】
図１は、本発明の電波検出装置の一実施形態のブロック図を示す。同図中、同調・検出回路１０はアンテナ１１で受信された信号からあらかじめ決められた周波数帯域、すなわちリモコンの出力電波が存在する周波数帯域の信号を同調して増幅・検波回路１２に供給する。増幅・検波回路１２は同調された信号を増幅および検波して検波信号を基準電波記憶回路１３と比較回路１４に供給する。
【００１６】
基準電波記憶回路１３はスイッチ１７のオンから所定時間（ｎ：例えば１分）内に検波信号の周波数を基準電波の周波数として記憶する。なお、基準電波記憶回路１３はスイッチ１７がオンしている期間でのみ基準電波の周波数として記憶する構成としても良い。
【００１７】
比較回路１４は、基準電波記憶回路１３に記憶された基準電波の周波数を表示装置１５に供給すると共に、スイッチ１７のオンから所定時間（ｍ：例えば１０分）内に増幅・検波回路１２から供給される検波信号の周波数と基準電波記憶回路１３に記憶された周波数を比較して比較結果を表示装置１５に供給する。表示装置１５は基準電波の周波数または比較結果（妨害電波検出有無）を発光ダイオードやディスプレイ等で表示する。
【００１８】
電源供給動作許可回路１６は、スイッチ１７が使用者にオンされると、オンから所定時間（ｍ）だけ、増幅・検波回路１２、基準電波記憶回路１３、比較回路１４、表示装置１５それぞれに動作電源を供給する。
【００１９】
図２は、本発明の電波検出装置による検出処理のフローチャートを示す。この処理は定期的に実行される。なお、この処理の前処理として基準電波記憶回路１３の内容はクリアされる。
【００２０】
同図中、ステップＳ１でスイッチ１７がオンか否かを判別し、スイッチ１７がオンの場合にはステップＳ２で基準電波を検出できたか否かを判別し、スイッチ１７がオフの場合にはこの処理を終了する。
【００２１】
ステップＳ２で基準電波を検出できた場合には、ステップＳ３で基準電波の周波数を基準電波記憶回路１３に記憶して表示装置１５に表示する。ステップＳ２で基準電波を検出できない場合には、ステップＳ４でスイッチ１７のオンから所定時間（ｎ）内であるか否かを判別し、所定時間（ｎ）内である場合にはステップＳ１に進み、所定時間（ｎ）を超えている場合にはこの処理を終了する。
【００２２】
一方、ステップＳ３で基準電波の周波数を表示装置１５に表示した後、ステップＳ５でスイッチ１７のオンから所定時間（ｍ）内であるか否かを判別し、所定時間（ｍ）内である場合にはステップＳ６で基準電波記憶回路１３に記憶した基準電波の周波数と同一周波数の電波を増幅・検波回路１２で検出できたか否かを判別し、所定時間（ｍ）を超えている場合にはこの処理を終了する。
【００２３】
基準電波と同一周波数の電波を検出できた場合にはステップＳ７で妨害電波検出ありを表示装置１５に表示してステップＳ５に進む。基準電波と同一周波数の電波を検出できない場合にはステップＳ７をバイパスしてステップＳ５に進む。
【００２４】
図３は、表示装置１５として単一の発光ダイオード（ＬＥＤ）を用いた場合にステップＳ３，Ｓ７で実行される表示処理のフローチャートを示す。同図中、ステップＳ１１で基準電波記憶回路１３に基準電波の周波数を記憶できたか否かを判別し、基準電波の周波数を記憶できた場合にステップＳ１２で発光ダイオードを点灯する。
【００２５】
その後、ステップＳ１３で基準電波記憶回路１３に記憶した基準電波の周波数と同一周波数の電波を増幅・検波回路１２で検出できたか否かを判別し、検出できた場合にステップＳ１４で発光ダイオードを点滅して、この処理を終了する。ステップＳ１１で基準電波の周波数を記憶できてない場合、または、ステップＳ１３で検出できない場合には、この処理を終了する。
【００２６】
図４は、本発明の電波検出装置の一実施形態の外観斜視図を示す。この電波検出装置は例えばリモートキーレスエントリ・システムの電波検出用のものである。
【００２７】
同図中、筐体２０内に図１に示す電波検出装置のアンテナ１１〜スイッチ１７の全ブロックが収納されている。筐体２０の側面には、リモートキーレスエントリ・システムのリモコンを装着するための挿入口２１が設けられている。筐体２０内の挿入口２１に対応する位置にスイッチ１７が配置され、リモコンを挿入口２１に挿入して装着したときスイッチ１７がオンする構造とされている。また、筐体２０の上面には、表示装置１５としての発光ダイオード（ＬＥＤ）２２が設けられている。
【００２８】
ここで、図４に示す電波検出装置の挿入口２１にリモートキーレスエントリ・システムのリモコンを挿入して装着し、スイッチ１７がオンとなってｎ分以内に電波検出装置の近傍でリモコンを操作すると、リモコンの出力電波の周波数が基準電波記憶回路１３に基準電波の周波数として記憶され、発光ダイオード２２が点灯する。
【００２９】
これにより、リモコンの動作確認を行うことができる。なお、挿入口２１にスマートエントリ・システムやガレージオープナー・システムのリモコンを挿入して装着しても良い。
【００３０】
なお、リモコンの出力電波の周波数は複数存在する場合があるが、電波検出装置の増幅・検波回路１２は当該リモコンの出力する複数の周波数を検波するよう、同調・検出回路１０の同調する周波数帯域があらかじめ設定されている。
【００３１】
スイッチ１７をオンしてからｍ分内に電波検出装置を妨害電波の発信源と思われる各種機器に近づけ、発光ダイオード２２が点滅して、「妨害電波検出あり」が表示されることで妨害電波の発信源を特定することができる。なお、リモートキーレスエントリ・システムのリモコンに対する妨害電波の発信源としては、コードレス電話、ガレージオープナー・システム、インバータ内蔵照明機器等が上げられる。
【００３２】
また、電波検出装置はスイッチ１７をオンしてからｍ分を超えると、オートパワーオフ機能が働いて電源が遮断される。
【００３３】
図５は、本発明の電波検出装置の他の実施形態の外観斜視図を示す。この電波検出装置は例えばスマートエントリ・システムやガレージオープナー・システムの電波検出用のものである。
【００３４】
同図中、筐体３０内に図１に示す電波検出装置のアンテナ１１〜スイッチ１７の全ブロックが収納されている。筐体３０の上面には、スマートエントリ・システムやガレージオープナー・システムのリモコンを載置するためのリモコン載置面３１が段差３２により区画されて設けられている。
【００３５】
リモコン載置面３１の中央にはスイッチ１７が配置され、リモコンをスイッチ１７上に載置したときスイッチ１７がオンする構造とされている。また、筐体３０の上面には、表示装置１５としての発光ダイオード（ＬＥＤ）３３が設けられている。
【００３６】
ここで、図５に示す電波検出装置のリモコン載置面３１にスマートエントリ・システムやガレージオープナー・システムのリモコンを載置して装着し、スイッチ１７がオンとなってｎ分以内に電波検出装置の近傍でリモコンを操作すると、リモコンの出力電波の周波数が基準電波記憶回路１３に基準電波の周波数として記憶され、発光ダイオード３３が点灯する。
【００３７】
これにより、リモコンの動作確認を行うことができる。なお、挿入口２１にリモートキーレスエントリ・システムのリモコンを載置して装着しても良い。
【００３８】
スイッチ１７をオンしてからｍ分内に電波検出装置を妨害電波の発信源と思われる各種機器に近づけ、発光ダイオード３３が点滅して、「妨害電波検出あり」が表示されることで妨害電波の発信源を特定することができる。
【００３９】
また、電波検出装置はスイッチ１７をオンしてからｍ分を超えると、オートパワーオフ機能が働いて電源が遮断される。
【００４０】
なお、同調・検出回路１０，増幅・検波回路１２が請求項記載の検波手段に相当し、基準電波記憶回路１３が基準電波記憶手段に相当し、比較回路１４が比較手段に相当し、表示装置１５が表示手段に相当し、スイッチ１７がスイッチ手段に相当し、電源供給動作許可回路１６が電源供給手段に相当する。
【図面の簡単な説明】
【００４１】
【図１】本発明の電波検出装置の一実施形態のブロック図である。
【図２】本発明の電波検出装置による検出処理のフローチャートである。
【図３】表示処理のフローチャートである。通信量の予測値を表示したナビゲーション表示画面の一例を示す図である。
【図４】本発明の電波検出装置の一実施形態の外観斜視図である。
【図５】本発明の電波検出装置の他の実施形態の外観斜視図である。
【符号の説明】
【００４２】
１０  同調・検出回路
１１  アンテナ
１２  増幅・検波回路
１３  基準電波記憶回路
１４  比較回路
１５  表示装置
１６  電源供給動作許可回路
１７  スイッチ
２０，３０  筐体
２１  挿入口
２２，３３  発光ダイオード
３１  リモコン載置面
３２  段差
【図１】
2007127549.tif 000003
【図２】
2007127549.tif 000004
【図３】
2007127549.tif 000005
【図４】
2007127549.tif 000006
【図５】
2007127549.tif 000007